(57)【要約】【課題】テンプル部と、テンプル部の先端に設けられるモダン部と、このモダン部に連結され、眼鏡の重心を調整するバランスウェイト部材とを備えた眼鏡において、モダン部の外観や装着感を変更することなく重心バランスを改善することが可能であり、かつバランスウェイト部材の組み付け作業や重心バランス調整作業を容易に行うことが可能な眼鏡を提供する。【解決手段】モダン部３とバランスウェイト部材４のうち少なくとも一方は、磁石部５を有し、他方は、この磁石部５と磁力で互いに引き合う金属部６もしくは磁石部５を有し、一方の磁石部５と他方の金属部６もしくは磁石部５との間の磁力により、バランスウェイト部材４がモダン部３に対して着脱可能に連結されている。【選択図】図１
2007264207.tif 000002
【特許請求の範囲】
【請求項１】
テンプル部と、テンプル部の先端に設けられるモダン部と、このモダン部に連結され、眼鏡の重心を調整するバランスウェイト部材とを備えた眼鏡であって、
上記モダン部と上記バランスウェイト部材のうち少なくとも一方は、磁石部を有し、
他方は、この磁石部と磁力で互いに引き合う金属部もしくは磁石部を有し、
一方の磁石部と他方の金属部もしくは磁石部との間の磁力により、バランスウェイト部材がモダン部に対して着脱可能に連結されていることを特徴とする眼鏡。
【請求項２】
上記バランスウェイト部材の磁石部もしくは金属部と、上記モダン部の金属部もしくは磁石部とのうち、いずれか一方は、バランスウェイト部材もしくはモダン部において形成された凸状部に設けられ、
他方は、この凸状部に設けられた磁石部もしくは金属部と嵌合可能に形成された凹状部に設けられていることを特徴とする請求項１記載の眼鏡。
【請求項３】
上記凸状部は、断面が円形に形成され、上記凹状部の断面は、凸状部に嵌合可能な円形に形成されていることを特徴とする請求項２に記載の眼鏡。
【請求項４】
上記凸状部は、断面が矩形、楕円形、多角形のいずれかに形成され、上記凹状部の断面は、凸状部に嵌合可能な矩形、楕円形、多角形のいずれかに形成されていることを特徴とする請求項１もしくは請求項２のいずれかに記載の眼鏡。
【請求項５】
上記バランスウェイト部材は、眼鏡の装着者に対して施療可能な樹脂、金属、磁石、ゲルマニウムのうちの少なくとも一つの材料からなる施療部を備えていることを特徴とする請求項１ないし請求項４のいずれかに記載の眼鏡。
【請求項６】
上記バランスウェイト部材の本体は、磁石で構成されていることを特徴とする請求項１ないし請求項５のいずれかに記載の眼鏡。
【発明の詳細な説明】
【技術分野】
【０００１】
本発明は、テンプル部とテンプル部の先端に設けられるモダン部とを有する眼鏡に関するものである。
【背景技術】
【０００２】
一般に、テンプル部とテンプル部の先端に設けられるモダン部とを有する眼鏡は、前方に配置される光学ガラスや光学プラスチックからなるレンズの重量の方が後方に配置されるモダン部の重量よりも大きいために、重心が前方に偏る傾向がある。そのため、このような眼鏡を装着した際には、どうしても前方にずり落ちるという現象が避けられなかった。
【０００３】
そこで最近では、眼鏡の重心を調整するバランスウェイト部材をモダン部に備えた眼鏡が種々提案されている。
【０００４】
例えば、特許文献１には、眼鏡フレームのモダン部を、塑性変形可能な芯金と、芯金上に一列に配列された着脱可能な複数の錘コマと、錘コマのストッパとで構成し、錘コマの貫通孔に芯金を通すことで錘コマを芯金の外周に装着するように構成した眼鏡フレームの技術が開示されている。この眼鏡フレームでは、比重の異なる錘コマの群を用意し、錘コマの交換でモダン部の重さを調整することができるようになっている。
【特許文献１】特開２００４−１８４８１９号公報
【発明の開示】
【発明が解決しようとする課題】
【０００５】
しかしながら、上述の特許文献１の眼鏡フレームの技術では、眼鏡全体を組み立てたり、錘コマを交換したりする際に、多数の錘コマを芯金に通したり、外したりしなければならず、バランスウェイト部材の組み付け作業やモダン部の重さの調整作業が極めて煩雑になるというという問題があった。
【０００６】
本発明は上記不具合に鑑みてなされたものであり、テンプル部とテンプル部の先端に設けられるモダン部とを有する眼鏡において、重心バランスを改善することが可能であり、かつバランスウェイト部材の組み付け作業や重心バランス調整作業を容易に行うことが可能な眼鏡を提供することを課題としている。
【課題を解決するための手段】
【０００７】
上記課題を解決するための本発明は、テンプル部と、テンプル部の先端に設けられるモダン部と、このモダン部に連結され、眼鏡の重心を調整するバランスウェイト部材とを備えた眼鏡であって、上記モダン部と上記バランスウェイト部材のうち少なくとも一方は、磁石部を有し、他方は、この磁石部と磁力で互いに引き合う金属部もしくは磁石部を有し、一方の磁石部と他方の金属部もしくは磁石部との間の磁力により、バランスウェイト部材がモダン部に対して着脱可能に連結されていることを特徴とする眼鏡である。
【０００８】
本発明によれば、モダン部とバランスウェイト部材の間に設けられた磁石部と金属部との間の磁力、もしくは磁石部と磁石部との間の磁力により、バランスウェイト部材がモダン部に対して着脱可能に連結されているので、眼鏡の重心を後方に移動させてバランスウェイト部材と眼鏡のレンズとを釣り合わせて眼鏡の重心バランスを改善することができる結果、眼鏡が装着時にずりおちたりしないように眼鏡を安定した姿勢で装着することができるようになる。
【０００９】
また、左右に重量の異なるバランスウェイト部材を配置することにより、眼鏡の左右のレンズ部の重量が異なることに起因する重心バランスの左右方向の偏りを改善することができるようになる。
【００１０】
また、バランスウェイト部材をモダン部に取り付ける時は、バランスウェイト部材をモダン部に対して接近させるだけで磁力により連結されるので、バランスウェイト部材の組み付け作業が容易に行える。
【００１１】
また、必要に応じてバランスウェイト部材をモダン部から取り外して複数の異なる重さのバランスウェイト部材の中から他のバランスウェイト部材に交換することができる結果、バランスウェイト部材の重心バランス調整作業が容易に行える。
【００１２】
次に、上記バランスウェイト部材の磁石部もしくは金属部と、上記モダン部の金属部もしくは磁石部とのうち、いずれか一方は、バランスウェイト部材もしくはモダン部において形成された凸状部に設けられ、他方は、この凸状部に設けられた磁石部もしくは金属部と嵌合可能に形成された凹状部に設けられていることが好ましい。
【００１３】
このようにすれば、バランスウェイト部材の磁石部もしくは金属部と、モダン部の金属部もしくは磁石部とのうち、いずれか一方が凸状部に設けられ、他方が嵌合可能に形成された凹状部に設けられているので、双方を嵌合させることにより、磁力だけでなく、より確実に精度良くバランスウェイト部材とモダン部とを連結することができるようになる。
【００１４】
上記凸状部は、断面が円形に形成され、上記凹状部の断面は、凸状部に嵌合可能な円形に形成されていることが好ましい。
【００１５】
このようにすれば、バランスウェイト部材の磁石部もしくは金属部と、モダン部の金属部もしくは磁石部は、一方の断面が円形に形成され、他方の断面がこれら一方の断面の円形形状に対応して嵌合可能な円形に形成されているので、連結部に働く応力が均等となり、応力集中を低減する結果、連結部の強度を確実なものにすることができる。
【００１６】
また、上記凸状部は、断面が矩形、楕円形、多角形のいずれかに形成され、上記凹状部の断面は、凸状部に嵌合可能な矩形、楕円形、多角形のいずれかに形成されていることが好ましい。
【００１７】
このようにすれば、バランスウェイト部材の磁石部もしくは金属部と、モダン部の金属部もしくは磁石部との一方の断面が矩形、楕円形、多角形のいずれかに形成され、他方の断面がこれら一方の断面の形状に対応して嵌合可能な矩形、楕円形、多角形のいずれかに形成されているので、連結部に働く応力が概ね均等となり、応力集中を低減して連結部の強度を確実なものにするだけでなく、確実にバランスウェイト部材とモダン部との双方の位置決めができるようになる。
【００１８】
また、上記バランスウェイト部材は、眼鏡の装着者に対して施療可能な樹脂、金属、磁石、ゲルマニウムのうちの少なくとも一つの材料からなる施療部を備えていることが好ましい。
【００１９】
このようにすれば、バランスウェイト部材が、眼鏡の装着者に対して施療可能な樹脂、金属、磁石、ゲルマニウムのうちの少なくとも一つの材料からなる施療部を備えているので、単に視力を矯正するだけでなく、眼鏡の装着者の健康の増進に寄与する付加価値の高い眼鏡を提供することができるようになる。
【００２０】
あるいは、上記バランスウェイト部材の本体は、磁石で構成されていることが好ましい。
【００２１】
このようにすれば、バランスウェイト部材の本体が磁石で構成されているので、より強力な磁力でバランスウェイト部材とモダン部とを連結することができるようになる。
【発明の効果】
【００２２】
以上説明したように、本発明によれば、テンプル部と、テンプル部の先端に設けられるモダン部と、このモダン部に連結され、眼鏡の重心を調整するバランスウェイト部材とを備えた眼鏡において、モダン部の外観や装着感を変更することなく重心バランスを改善することが可能であり、かつバランスウェイト部材の組み付け作業や重心バランス調整作業を容易に行うことができるという顕著な効果を奏する。
【発明を実施するための最良の形態】
【００２３】
以下、添付図面を参照しながら本発明の好ましい実施の一形態について詳述する。図１は、本発明の実施の形態に係る眼鏡１０の構成を示す斜視図であり、図２は、本発明の実施の形態に係る眼鏡１０の構成を示す側面図である。また、図３は、バランスウェイト部材４の構成を示す断面図であり、図４は、バランスウェイト部材４の構成を示す上面図である。
【００２４】
図１〜図４を参照して、図示の本発明の実施の形態に係る眼鏡１０は、眼鏡本体１と、眼鏡本体１の側方に設けられたテンプル部２と、テンプル部２の後方先端に設けられるモダン部３と、このモダン部３に連結され、眼鏡１０の重心を調整するバランスウェイト部材４とを備えている。
【００２５】
上記眼鏡本体１は、左右２つのレンズ部１ａと、それぞれのレンズ部１ａを保持するレンズ支持部１ｂとを備えている。このレンズ部１ａは、本実施形態では、近視や遠視などに対応して光学ガラスもしくは光学プラスチックなどからなる凹レンズあるいは凸レンズが用いられている。これら左右のレンズ部１ａは、一般的には、必ずしも度数が一致しているとは限らず、このように異なる度数の場合は、レンズの厚みと重さが左右で一致しないことになる。そのため、単に前方に重心が偏るだけでなく、左右方向にも重心が偏ることになるが、本実施形態では、後述するバランスウェイト部材４により、これら前後方向、左右方向の重心バランスの偏りが改善され、使用者が不快感に悩まされることがなくなる。
【００２６】
レンズ支持部１ｂは、２つのレンズ部１ａの縁部を支持して眼鏡本体１を形成する部材であり、本実施形態では、細い部材で強度を高くすることができるものとして軽量金属の合金が用いられ、レンズ部１ａの周縁を支持するように構成され、側方にテンプル取り付け部１ｃを有している。
【００２７】
上記テンプル部２は、眼鏡本体１の側方においてテンプル取り付け部１ｃに設けられたヒンジ１ｄを介して眼鏡本体１に対して折り畳み可能に設けられた細長の棒状もしくは板状の部材であり、人体の頭部のこめかみに沿って装着されるものである。本実施形態では、細長の棒状もしくは板状の形状にも拘わらず十分な強度をもったものとしてレンズ支持部１ｂと同様、軽量金属の合金が採用されている。
【００２８】
上記モダン部３は、テンプル部２の先端に設けられ、人体の耳の基部に沿って装着されるものであり、一般に蔓状に湾曲する形状に形成される。本実施形態では、耳に対する感触を良好ならしめるために、軽量金属よりも熱伝導率が低い合成樹脂でテンプル部２の先端を覆うように設けられ、荷重を集中させることない滑らかな形状に形成されている。
【００２９】
上記バランスウェイト部材４は、眼鏡１０の重心を調整するためにモダン部３設けられた錘部材であり、人体の耳に干渉しないように、また、外から見て目立たないように、モダン部３の後方先端に設けられている。
【００３０】
このバランスウェイト部材４は、本実施形態では、特に、眼鏡の装着者に対して施療可能な施療部４ａをバランスウェイト部材４に設けるために、バランスウェイト部材４の全体が、眼鏡の装着者に対して施療可能な材料であるゲルマニウムからなる施療部４ａで構成されている。
【００３１】
また、このバランスウェイト部材４は、より少ない容積で効果的に重心バランスを後方に移動させるために、本実施形態では、さらに概ね眼鏡１０のレンズの重さと同等に設定され、より良く眼鏡１０が前方にずり落ちないようなっている。
【００３２】
そして、このバランスウェイト部材４は、複数の異なる重さのバランスウェイト部材４の中から、バランスウェイト部材４を選択して交換可能なように構成されている。図５は、バランスウェイト部材４の構成を示す分解斜視図であり、図６は、バランスウェイト部材４の構成を示す分解断面図である。
【００３３】
図５と、図６とに示すように、このバランスウェイト部材４は、複数の異なる重さのバランスウェイト部材４（図略）の中から、バランスウェイト部材４を選択して交換可能なように構成されている。すなわち、このバランスウェイト部材４は、磁石部５を有し、モダン部３は、この磁石部５と磁力で互いに引き合う金属部６を有し、一方の磁石部５と他方の金属部６との間の磁力により、バランスウェイト部材４がモダン部３に対して着脱可能に連結されている。
【００３４】
ここで、バランスウェイト部材４の磁石部５は、バランスウェイト部材４において凸状部４ｂに設けられ、金属部６は、モダン部３においてこの凸状部４ｂに設けられた磁石部５と嵌合可能に形成された凹状部３ｂに設けられている。
【００３５】
なお、本実施形態では、磁石部５は、バランスウェイト部材４の凸状部４ｂの全体を占めるように設けられ、また、金属部６は、凹状部３ｂの底部に設けられている。
【００３６】
また、バランスウェイト部材４の凸状部４ｂは、断面が矩形に形成され、金属部６の凹状部３ｂの断面は、凸状部４ｂに嵌合可能な矩形に形成されている。
【００３７】
次に図７を参照して、本発明の実施の形態に係る眼鏡１０の作用について説明する。図７は、本発明の実施の形態に係る眼鏡１０の重心位置の移動を示す説明図であり、Ｗ１は、バランスウェイト部材４をモダン部３に収容する前の重心の位置を示している。また、Ｗ２は、バランスウェイト部材４をモダン部３に収容した後の重心の位置を示している。
【００３８】
図７に示すように、本発明の実施の形態に係る眼鏡１０においては、複数の異なる重さのバランスウェイト部材４の群（図示せず）の中から、左右のレンズ部の重量に応じた２つのバランスウェイト部材４が、選択されてそれぞれ左右のモダン部３の後方に連結される。
【００３９】
この時、バランスウェイト部材４は、断面が矩形に形成された凸状部４ｂと、凹状部３ｂとが嵌合され、バランスウェイト部材４の磁石部５とモダン部３の金属部６が、磁力で互いに引き合うので、着脱可能に、かつ確実に連結されている。
【００４０】
その結果、重心バランスが後方に移動し、また、左右の重心のアンバランスが改善されて、例えば、Ｗ１の位置からＷ２の位置へと、眼鏡１０の重心が調整され、レンズ部１ａから重心の位置Ｗ２までの距離Ａと重心の位置Ｗ２からモダン部３の先端までの距離ＢとがほぼＡ：Ｂ＝１：１に改善される。
【００４１】
以上説明したように、本発明の実施の形態に係る眼鏡１０によれば、モダン部３とバランスウェイト部材４の間に設けられた磁石部５と金属部６との間の磁力、もしくは磁石部５と磁石部５との間の磁力により、バランスウェイト部材４がモダン部３に対して着脱可能に連結されているので、眼鏡１０の重心を後方に移動させてバランスウェイト部材４と眼鏡１０のレンズとを釣り合わせて眼鏡１０の重心バランスを改善することができる結果、眼鏡１０が装着時にずりおちたりしないように眼鏡１０を安定した姿勢で装着することができるようになる。
【００４２】
また、左右に重量の異なるバランスウェイト部材４を配置することにより、眼鏡１０の左右のレンズ部の重量が異なることに起因する重心バランスの左右方向の偏りを改善することができるようになる。
【００４３】
また、バランスウェイト部材４をモダン部３に取り付ける時は、バランスウェイト部材４をモダン部３に対して接近させるだけで磁力により連結されるので、バランスウェイト部材４の組み付け作業が容易に行える。また、必要に応じてバランスウェイト部材４をモダン部３から取り外して他のバランスウェイト部材４に交換することができる結果、バランスウェイト部材４の重心バランス調整作業が容易に行える。
【００４４】
また、必要に応じてバランスウェイト部材４をモダン部３から取り外して複数の異なる重さのバランスウェイト部材４の中から他のバランスウェイト部材４に交換することができる結果、バランスウェイト部材４の重心バランス調整作業が容易に行える。
【００４５】
また、バランスウェイト部材４の磁石部５が、凸状部４ｂに設けられ、モダン部３の金属部が、バランスウェイト部材４の凸状部４ｂと嵌合可能に形成された凹状部３ｂに設けられているので、双方を嵌合させることにより、磁力だけでなく、より確実に精度良くバランスウェイト部材４とモダン部３とを連結することができるようになる。
【００４６】
また、バランスウェイト部材４の凸状部４ｂの断面と、凹状部３ｂの断面とが矩形に形成されたものであれば、連結部に働く応力が概ね均等となり、応力集中を低減して連結部の強度を確実なものにするだけでなく、確実にバランスウェイト部材４とモダン部３との双方の位置決めができるようになる。
【００４７】
また、バランスウェイト部材４が、眼鏡１０の装着者に対して施療可能なゲルマニウムの材料からなる施療部４ａを備えているので、単に視力を矯正するだけでなく、眼鏡１０の装着者の健康の増進に寄与する付加価値の高い眼鏡１０を提供することができるようになる。
【００４８】
上述した実施の形態は本発明の好ましい具体例を例示したものに過ぎず、本発明は上述した実施の形態に限定されない。
【００４９】
例えば、レンズ部１ａは、本実施形態では、近視や遠視などに対応して光学ガラスもしくは光学プラスチックなどからなる凹レンズあるいは凸レンズが用いられているが、必ずしもこれらの材質、形状に限定されない。曲率がなく度数のない平行平板の形状に形成されたもの、サングラスに用いられるレンズのように着色されたもの、用途に応じた低価格のプラスチックなど、レンズ部１ａの材料、形状などは種々の設計変更が可能である。
【００５０】
レンズ支持部１ｂも、本実施形態では、軽量金属の合金で構成されているが、プラスチック、ステンレスなど、種々の材料が採用可能である。また、本実施形態では、レンズ支持部１ｂが、レンズ部１ａの周縁全体を囲繞するように構成されているが、２つのレンズ部１ａの縁部を支持して眼鏡本体１を形成する部材であれば、レンズ部１ａの上半分だけに設けられるものであっても採用可能であるなど、形状も種々の設計変更が可能である。
【００５１】
テンプル部２も、本実施形態では、軽量金属の合金からなる細長の棒状もしくは板状の部材で構成されているが、レンズ支持部１ｂと同様、プラスチック、ステンレスなど、種々の材料が採用可能である。また、形状も幅の広い板状の部材など種々の設計変更が可能である。
【００５２】
モダン部３も、図示のように必ずしもテンプル部２と別の部材として構成することに限定されない。テンプル部２の先端に設けられ、人体の耳の基部に沿って装着されるものであればテンプル部２の延長部分としてテンプル部２と同じ部材で一体に形成されることも可能である。
【００５３】
また、バランスウェイト部材４は、金属材料のゲルマニウムを用いたものに限定されない。少ない容積で効果的に重心バランスを後方に移動させることができるものであれば、その他の金属や、高密度のプラスチックなども採用可能である。
【００５４】
また、バランスウェイト部材４は、本実施形態のように、バランスウェイト部材４の全体を施療部４ａで構成したものである必要はなく、施療部４ａをバランスウェイト部材４の一部分として構成しても良い。また、特に施療部４ａを備えたものである必要もない。
【００５５】
さらに、バランスウェイト部材４が、施療部４ａを備える場合でも、この施療部４ａは、ゲルマニウムの材料に限定されない。眼鏡の装着者に対して施療可能な材料であれば、例えば樹脂や、磁石、その他の金属が採用可能である。
【００５６】
次に、この眼鏡１０は、バランスウェイト部材４が、磁石部５を有し、モダン部３が、この磁石部５と磁力で互いに引き合う金属部６を有するものに限定されない。一方の磁石部５と他方の金属部６との間の磁力により、バランスウェイト部材４がモダン部３に対して着脱可能に連結されるのであれば、モダン部３が、磁石部５を有し、バランスウェイト部材４が、この磁石部５と磁力で互いに引き合う金属部６もしくは磁石部５を有するように構成されても良い。また、例えば、バランスウェイト部材４とモダン部３とが、それぞれ磁石部５を有し、磁石部５と磁石部５とが磁力で互いに引き合うように構成されることも可能である。
【００５７】
また、この眼鏡１０は、磁石部５が、凸状部４ｂに設けられ、金属部６が、凹状部３ｂに設けられるものにも限定されない。例えば、磁石部５が、凹状部３ｂに設けられ、金属部６が、凸状部４ｂに設けられるように構成されても良い。同様に、磁石部５が、それぞれ凹状部３ｂと凸状部４ｂとに設けられるように構成されても良い。
【００５８】
なお、本実施形態では、磁石部５は、バランスウェイト部材４の凸状部４ｂの全体を占めるように設けられ、また、金属部６は、凹状部３ｂの底部に設けられているが、磁石部５は、バランスウェイト部材４の凸状部４ｂの一部を構成するように設けるようにしても良い。同様に金属部６も、凹状部３ｂの底部に限定されず、凹状部３ｂの内壁部に設けられても良い。
【００５９】
さらに、この眼鏡１０は、凸状部４ｂの断面と、凹状部３ｂの断面とが矩形に形成されたものに限定されない。それぞれ嵌合可能な形状であれば、例えば、凸状部４ｂの断面と、凹状部３ｂの断面とが円形、楕円形、多角形のいずれかに形成されたものも採用可能である。
【００６０】
ここで、凸状部４ｂの断面と、凹状部３ｂの断面とが円形に形成されたものであれば、連結部に働く応力が均等となり、応力集中を低減する結果、連結部の強度を確実なものにすることができる。また、凸状部４ｂの断面と、凹状部３ｂの断面とが楕円形、多角形のいずれかに形成されたものであれば、連結部に働く応力が概ね均等となり、応力集中を低減して連結部の強度を確実なものにするだけでなく、確実にバランスウェイト部材４とモダン部３との双方の位置決めができるようになる。
【００６１】
また、バランスウェイト部材４の本体は、全体が、磁石になるように構成されてもよい。このようにすれば、バランスウェイト部材４の本体が磁石で構成されているので、より強力な磁力でバランスウェイト部材４とモダン部３とを連結することができるようになる。
【００６２】
そして、バランスウェイト部材４は、必ずしも図示の位置、形状に限定されない。人体の耳に対する干渉が少なければ、モダン部３の上側や下側、あるいは内側や外側に設けることも可能であるなど、種々の設計変更が可能である。
【００６３】
例えば、バランスウェイト部材４は、モダン部３の後方先端に設けられたものに限定されず、図８〜図１１に示すように、モダン部３の上方、下方、側方に設けることも可能である。ここで、図８〜図９は、バランスウェイト部材４の変形例の構成を示す断面図であり、図８は、バランスウェイト部材４が、モダン部３の上方に設けられた状態を、図９は、バランスウェイト部材４が、モダン部３の下方に設けられた状態をそれぞれ示している。また、図１０〜図１１は、バランスウェイト部材４の変形例の構成を示す上面図であり、図１０は、バランスウェイト部材４が、モダン部３の側方で頭部側に設けられた状態を、図１１は、バランスウェイト部材４が、モダン部３の側方で頭部と反対側に設けられた状態をそれぞれ示している。
【００６４】
その他、本発明の特許請求の範囲内で種々の設計変更が可能であることはいうまでもない。
【図面の簡単な説明】
【００６５】
【図１】本発明の実施の形態に係る眼鏡の構成を示す斜視図である。
【図２】本発明の実施の形態に係る眼鏡の構成を示す側面図である。
【図３】バランスウェイト部材の構成を示す断面図である。
【図４】バランスウェイト部材の構成を示す上面図である。
【図５】バランスウェイト部材の構成を示す分解斜視図である。
【図６】バランスウェイト部材の構成を示す分解断面図である。
【図７】本発明の実施の形態に係る眼鏡の重心位置の移動を示す説明図であり、Ｗ１は、バランスウェイト部材をモダン部に収容する前の重心の位置を示している。また、Ｗ２は、バランスウェイト部材をモダン部に収容した後の重心の位置を示している。
【図８】バランスウェイト部材の変形例の構成を示す断面図であり、バランスウェイト部材が、モダン部の上方に設けられた状態を示している。
【図９】バランスウェイト部材の変形例の構成を示す断面図であり、バランスウェイト部材が、モダン部の下方に設けられた状態を示している。
【図１０】バランスウェイト部材の変形例の構成を示す上面図であり、バランスウェイト部材が、モダン部の側方で頭部側に設けられた状態を示している。
【図１１】バランスウェイト部材の変形例の構成を示す上面図であり、バランスウェイト部材が、モダン部の側方で頭部と反対側に設けられた状態を示している。
【符号の説明】
【００６６】
２    テンプル部
３    モダン部
４    バランスウェイト部材
４ａ  施療部
５    磁石部
６    金属部
１０  眼鏡
【図１】
2007264207.tif 000003
【図２】
2007264207.tif 000004
【図３】
2007264207.tif 000005
【図４】
2007264207.tif 000006
【図５】
2007264207.tif 000007
【図６】
2007264207.tif 000008
【図７】
2007264207.tif 000009
【図８】
2007264207.tif 000010
【図９】
2007264207.tif 000011
【図１０】
2007264207.tif 000012
【図１１】
2007264207.tif 000013
【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
左右のレンズ部を保持するレンズ支持部を備える眼鏡本体と、テンプル部と、テンプル部の先端に設けられるモダン部と、このモダン部に連結され、眼鏡の重心を調整するバランスウェイト部材とを備えた眼鏡であって、
上記モダン部と上記バランスウェイト部材のうち少なくとも一方は、磁石部を有し、
他方は、この磁石部と磁力で互いに引き合う金属部もしくは磁石部を有し、
一方の磁石部と他方の金属部もしくは磁石部との間の磁力により、バランスウェイト部材がモダン部に対して着脱可能に連結されているとともに上記レンズ部の重さと同等に設定され、
かつ、上記バランスウェイト部材の磁石部もしくは金属部と、上記モダン部の金属部もしくは磁石部とのうち、いずれか一方は、バランスウェイト部材もしくはモダン部において形成された凸状部に設けられ、他方は、この凸状部に設けられた磁石部もしくは金属部と嵌合可能に形成された凹状部に設けられているとともに、上記凸状部は、断面が矩形、楕円形、多角形のいずれかに形成され、上記凹状部の断面は、凸状部に嵌合可能な矩形、楕円形、多角形のいずれかに形成されていることを特徴とする眼鏡。
【請求項２】
上記バランスウェイト部材は、眼鏡の装着者に対して施療可能な樹脂、金属、磁石、ゲルマニウムのうちの少なくとも一つの材料からなる施療部を備えていることを特徴とする請求項１に記載の眼鏡。
【請求項３】
上記バランスウェイト部材の本体は、磁石で構成されていることを特徴とする請求項１または請求項２に記載の眼鏡。